(57)【特許請求の範囲】
【請求項１】
スクリーン版上の塗布剤をスキージを移動させることにより、前記スクリーン版に開設された印刷パターン孔を介してプリント基板上に塗布するスクリーン印刷機において、スクリーン版に対して前記スキージが所定角度傾斜するように該スキージを固定したスキージ体の上部に大径部と小径部とを備える少なくとも２本以上の係止ピン及びロックピンを立設すると共に、スキージ取付体には前記係止ピンに対応して該係止ピンの大径部が嵌合する太径部と小径部が嵌合する細径部を連通した２つ以上の固定孔及び前記ロックピン用の案内孔を形成すると共にロック機構を設け、前記スキージ取付体に開設された前記固定孔の各太径部に前記スキージ体に立設した各係止ピンの大径部を嵌合させると共に前記ロックピンを前記案内孔に嵌合させてから該スキージ体をスライドさせて、前記スキージ取付体に開設された前記固定孔の各細径部に前記スキージ体に立設した各係止ピンの小径部を嵌合させた際に、この嵌合が外れない方向に前記ロック機構が前記ロックピンを押圧することを特徴とするスクリーン印刷機。
【発明の詳細な説明】
【技術分野】
【０００１】
本発明は、スクリーン版上の塗布剤をスキージを移動させることにより、前記スクリーン版に開設された印刷パターン孔を介してプリント基板上に塗布するスクリーン印刷機に関する。
【背景技術】
【０００２】
この種のスクリーン印刷機は、例えば特許文献１などに開示されているが、前記スキージを印刷機に取付ける構造が複雑で、取付け作業に負担が掛かっていた。
【特許文献１】特開平１−１６６９６１号公報
【発明の開示】
【発明が解決しようとする課題】
【０００３】
そこで本発明は、スキージの取付構造を簡単な構造として、取付け作業の負担の軽減を図ることを目的とする。
【課題を解決するための手段】
【０００５】
このため第１の発明は、スクリーン版上の塗布剤をスキージを移動させることにより、前記スクリーン版に開設された印刷パターン孔を介してプリント基板上に塗布するスクリーン印刷機において、スクリーン版に対して前記スキージが所定角度傾斜するように該スキージを固定したスキージ体の上部に大径部と小径部とを備える少なくとも２本以上の係止ピン及びロックピンを立設すると共に、スキージ取付体には前記係止ピンに対応して該係止ピンの大径部が嵌合する太径部と小径部が嵌合する細径部を連通した２つ以上の固定孔及び前記ロックピン用の案内孔を形成すると共にロック機構を設け、前記スキージ取付体に開設された前記固定孔の各太径部に前記スキージ体に立設した各係止ピンの大径部を嵌合させると共に前記ロックピンを前記案内孔に嵌合させてから該スキージ体をスライドさせて、前記スキージ取付体に開設された前記固定孔の各細径部に前記スキージ体に立設した各係止ピンの小径部を嵌合させた際に、この嵌合が外れない方向に前記ロック機構が前記ロックピンを押圧することを特徴とする。
【発明の効果】
【０００６】
本発明は、スキージの取付構造を簡単な構造として、取付け作業の負担の軽減を図ることができる。
【発明を実施するための最良の形態】
【０００７】
本実施形態のスクリーン印刷機のスキージ機構を、図１乃至図３に基づき説明すると、１はスクリーンを介して基板支持テーブル（図示せず）上に載置されたプリント基板上に印刷を行うスキージ機構であり、スクリーン印刷機にＹ軸方向（図２の左右方向）に移動可能に取り付けられたシリンダ取付体２を有している。このシリンダ取付体２に固定された各シリンダ４のロッドの下端には連結体５が固定され、連結体５には連結具３、３を介して支持体６が固定され、この支持体６には支軸７を介してスキージ取付体８が揺動可能に支持され、この揺動体８に固定される。また、前記支持体６には案内棒６Ａ、６Ａが立設され、前記シリンダ取付体２に設けられた案内筒２Ａ、２Ａ内を案内棒６Ａ、６Ａが上下移動可能に案内される。
【０００８】
そして、スクリーン９のスクリーン版９Ａに対して各スキージ１３が所定角度傾斜するように該スキージ１３をスキージ押さえ板１０とスキージホルダー１１との間に挟んで支持した状態で、両側板１２をスキージ押さえ板１０とスキージホルダー１１に固定してスキージ体１４を構成し、このスキージ体１４を前記スキージ取付体８に着脱可能に取り付ける。
【０００９】
即ち、図３に示すように、細径部１７Ａと太径部１７Ｂとが連通した固定孔１７、１７を形成すると共にこの固定孔１７と１７との間の位置に細長孔形状の案内孔１８を形成し、前記スキージ取付体８の端部近傍に板厚方向に打ち抜いた貫通孔１９、１９に前記固定孔１７、１７の上部を連通させると共に貫通孔１９と１９との間の位置で外方から形成した孔２０に前記案内孔１８の上部を連通させる。一方、前記固定孔１７、１７に対応して、固定孔１７、１７の太径部１７Ｂを通過する上端部の大径部２２Ｂと細径部１７Ａに嵌合する小径部２２Ａとを備える鋼鉄製の少なくとも２本以上の係止ピン２２、２２と、前記案内孔１８を通る大径部２３Ｂと小径部２３Ａとを備えるロックピン２３とがスキージホルダー１１上面に立設される。
【００１０】
この場合、前記係止ピン２２と固定孔１７との関係について説明すると、固定孔１７の太径部１７Ｂは係止ピン２２の大径部２２Ｂと同径かわずか大きく、固定孔１７の細径部１７Ａは係止ピン２２の小径部２２Ａと同径かわずか大きく、且つ固定孔１７の細径部１７Ａは係止ピン２２の大径部２２Ｂより小さい。また、案内孔１８両端部の半円部の径はロックピン２３の大径部２３Ｂと同径かわずか大きい。
【００１１】
２５は案内孔１８に対応した位置の前記スキージ取付体８に固定されたロック機構を構成するエアシリンダで、作動するとそのロッド先端に設けられた係止体２５Ａが溝２０を介して前記ロックピン２３の小径部２３Ａに当接可能である。２６は検出センサで、前記エアシリンダ２５が作動しているときの所定以上のエア圧力を検出すると、前記係止体２５Ａの前記ロックピン２３の小径部２３Ａへの当接状態、即ち正しく前記スキージ取付体８にスキージ体１４が取付けられたことを検出することとなる。
【００１２】
２７は前記スキージ取付体８に固定される近接センサで構成された検出センサで、一方の固定孔１７の細径部１７Ａに係止ピン２２の大径部２２Ｂが近づくと、正しく前記スキージ取付体８にスキージ体１４が取付けられたことを検出することとなる。従って、両検出センサ２６、２７により、正しく前記スキージ取付体８にスキージ体１４が取付けられたことを検出することができる。
【００１３】
なお、前記スクリーン９は、前記プリント基板の所望の回路パターンに対応して穿設された印刷パターン孔が設けられたスクリーン版９Ａと、該版９Ａを囲む平面視矩形状のスクリーン枠９Ｂとから構成される。プリント基板は、搬送コンベア（図示せず）によって印刷位置に配置された基板支持テーブル上に載置されると共に印刷終了後にこの基板支持テーブルから搬出される。
【００１４】
次に、スキージ体１４をスキージ取付体８に取り付ける手順について、説明する。図４及び図５に示すように、スキージ体１４とスキージ取付体８とは分離しているので、図６及び図７に示すように、作業管理者がスキージ体１４を手に持って、初めにスキージ取付体８に開設された固定孔１７、１７の各太径部１７Ｂにスキージ体１４に立設した各係止ピン２２の大径部２２Ｂを下方から位置合わせさせて挿通すると共に案内孔１８にロックピン２３を挿通する。
【００１５】
次に、図８に示すように、作業管理者がスキージ体１４をスライドさせて、スキージ取付体８に開設された固定孔１７、１７の各細径部１７Ａにスキージ体１４に立設した各係止ピン２２の小径部２２Ａを嵌合させて各細径部１７Ａの左端部に当接させると共に案内孔１８左端部にロックピン２３を当接させるように移動させる。
【００１６】
この後、作業者はモニタ（図示せず）に形成されるタッチパネルスイッチを押圧操作して、エアシリンダ２５を作動させる。すると、図２に示すように、エアシリンダ２５のロッド先端に設けられた係止体２５Ａが溝２０を介して前記ロックピン２３の小径部２３Ａに係止し、この状態を維持する。即ち、固定孔１７、１７の各細径部１７Ａと各係止ピン２２の小径部２２Ａとの嵌合が解かれないように、案内孔１８左端方向へロックピン２３を押圧するように、エアシリンダ２５の係止体２５Ａが前記ロックピン２３の小径部２３Ａに係止する。
【００１７】
このため、スキージ体１４のスキージ取付体８への取り付け状態は、ロックされた状態となり、またスキージ体１４がスライドして検出センサ２７に一方の係止ピン２２が近づくので確実に前記ロックされたことを検出でき、更にエアシリンダ２５が作動した状態を検出センサ２６が検出する。
【００１８】
これらの検出センサ２６、２７の検出出力を前記モニタに表示させることによりチェックすることができ、スキージ体１４のスキージ取付体８への取り付けが確実になされたものか否かが理解できる。従って、取付けが不十分であれば、再度取付け作業を繰り返し行うことにより、確実に取り付けることができる。
【００１９】
以上のように、スキージ体１４をスキージ取付体８へ取り付けた後、運転スイッチを操作して、プリント基板上に塗布剤であるクリーム半田を塗布することができる。
【００２０】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２１】
【図１】スクリーン印刷機のスキージ機構の要部正面図である。
【図２】スクリーン印刷機のスキージ機構の要部側面図である。
【図３】図１のＡ−Ａ断面図である。
【図４】スキージ体をスキージ取付体に取り付ける前の状態のスキージ機構の要部正面図である。
【図５】図４のＡ−Ａ断面図である。
【図６】スキージ体をスキージ取付体に取り付ける際に固定孔の太径部に係止ピンの大径部を通した状態のスキージ機構の要部正面図である。
【図７】図６のＡ−Ａ断面図である。
【図８】スキージ体をスキージ取付体に取り付け完了した状態のスキージ機構の横断平面図である。
【符号の説明】
【００２２】
１            スキージ機構
８            スキージ取付体
９            スクリーン
１３          スキージ
１４          スキージ体
１７          固定孔
１７Ａ        細径部
１７Ｂ        太径部
１８          案内孔
２２          係止ピン
２２Ａ        小径部
２２Ｂ        大径部
２３          ロックピン
２５          エアシリンダ
【図１】
0005170654.tif 000002
【図２】
0005170654.tif 000003
【図３】
0005170654.tif 000004
【図４】
0005170654.tif 000005
【図５】
0005170654.tif 000006
【図６】
0005170654.tif 000007
【図７】
0005170654.tif 000008
【図８】
0005170654.tif 000009